(57)【要約】  直視型の表示装置（１００Ａ）は、表示領域（１０Ａ）と表示領域の外側に設けられた額縁領域（１０Ｆ）とを有する表示パネル（１０）と、表示パネルの観察者側に配置された透光性カバー（２０）とを備える。透光性カバーは、表示パネルの額縁領域の一部と、額縁領域の一部に隣接する表示領域内の周辺表示領域（１０Ｄ）の一部とを含む領域に重なる位置に配置されたレンズ部（２２）を有し、表示パネルの少なくとも側面（１０ｂ）に配置された筐体部（３６）を有する筐体（３０）をさらに備え、筐体部（３６）の観察者側には、周辺表示領域の一部から出射された光の一部および／または背面側から入射する光が出射される。本発明によると、唯一の表示パネルを備え、額縁が視認され難い直視型の表示装置が提供される。
2010089998.tif 000002
【特許請求の範囲】
【請求項１】
表示領域と前記表示領域の外側に設けられた額縁領域とを有する表示パネルと、
前記表示パネルの観察者側に配置された透光性カバーとを備え、
前記透光性カバーは、前記表示パネルの前記額縁領域の一部と、前記額縁領域の前記一部に隣接する前記表示領域内の周辺表示領域の一部とを含む領域に重なる位置に配置されたレンズ部を有し、
前記表示パネルの少なくとも側面に配置された筐体部を有する筐体をさらに備え、
前記筐体部の観察者側には、前記周辺表示領域の前記一部から出射された光の一部および／または背面側から入射する光の一部が出射される、直視型の表示装置。
【請求項２】
前記筐体部は透光性であり、前記筐体部の外側端面は、前記透光性カバーの前記レンズ部の外側端部の外側にある、請求項１に記載の表示装置。
【請求項３】
前記透光性カバーの前記レンズ部は、前記レンズ部の外側端部が、前記筐体部の外側端面の観察者側に存在するように配置されている、請求項１に記載の表示装置。
【請求項４】
前記筐体と前記透光性カバーとは一体に形成されている、請求項２または３に記載の表示装置。
【請求項５】
前記筐体と前記透光性カバーとは一体に形成されており、
前記筐体部の観察者側表面と背面側表面との少なくとも一部はレンズ面である、請求項２に記載の表示装置。
【請求項６】
前記筐体部は、前記筐体部の前記観察者側表面が、前記レンズ部の前記観察者側表面と境界を形成するように設けられており、
前記境界は、前記額縁領域の前記一部の観察者側にあり、
前記筐体部の前記観察者側表面はレンズ面である、請求項５に記載の表示装置。
【請求項７】
前記表示領域のうち、前記周辺表示領域以外の領域の少なくとも一部に形成される画像は、前記周辺表示領域の前記一部に形成される画像と異なる種類のコンテンツの画像である、請求項１から６のいずれかに記載の表示装置。
【発明の詳細な説明】
【技術分野】
【０００１】
本発明は、表示装置、特に直視型の表示装置に関する。
【背景技術】
【０００２】
液晶表示装置は、液晶表示パネル、バックライト装置、液晶表示パネルに各種の電気信号を供給する回路や電源、およびこれらを収容する筐体を備えている。液晶表示パネルは、複数の画素が配列された表示領域と、その周辺の額縁領域とを有している。表示領域には、画素電極やＴＦＴが設けられている。額縁領域には、シール部や駆動回路実装部等が設けられている。額縁領域には画素が配列されていないので、額縁領域は表示に寄与しない。液晶表示装置は、狭額縁化されてきているが、額縁領域は、原理的に無くすことはできない。【０００３】
複数の表示パネルを配列することによって大画面を構成すると、表示パネルの額縁領域は表示に寄与しないので、画像に継ぎ目が生じてしまう。そこで、継ぎ目が無い画像を表示するために、特許文献１および２には、表示パネルの観察者側に透光性カバーを設けた表示装置が開示されている。この透光性カバーのエッジ部分は、観察者側の表面が屈曲した部分を有している。屈曲した部分はレンズとして機能するので、以下では「レンズ部」ということにする。透光性カバーのレンズ部は、表示パネルの額縁領域と、表示領域内の額縁領域に隣接する領域の一部に重なるように設けられている。表示領域のうち、レンズ部と重なる部分を「周辺表示領域」という。周辺表示領域に配列された画素から出射された光は、レンズ部によって額縁領域側へ屈折される。その結果、額縁領域の前面にも画像が表示され、画面全体として継ぎ目が無い画像が表示される。【０００４】
また、特許文献３には、円形又は楕円形の表示装置が開示されている。
【先行技術文献】
【特許文献】
【０００５】
【特許文献１】特開平５−１８８８７３号公報
【特許文献２】特表２００４−５２４５５１号公報
【特許文献３】特開２００６−２７６５８０号公報
【発明の概要】
【発明が解決しようとする課題】
【０００６】
本発明者は、唯一の表示パネルを備える表示装置において、額縁が視認され難い新規な表示装置を実現することを検討した。【０００７】
表示パネルの額縁領域にレンズ部が重なるように、特許文献１および２に記載のレンズ部を有する透光性カバーを配置すると、表示パネルの額縁領域を見え難くすることができる。しかしながら、表示パネルが筐体に収容されるので、表示パネルの額縁領域の外側に筐体の一部が存在することとなる。従って、レンズ部によって額縁領域を見え難くしても、額縁領域の外側の筐体の一部が視認される。すなわち、筐体の一部が額縁として見えてしまう。これまで、筐体までもが見え難い表示装置は提案されていない。上記では、液晶表示装置について説明したが、プラズマディスプレイ（ＰＤＰ）、有機ＥＬ表示装置、および電気泳動表示装置等のフラットパネルディスプレイにおいても、額縁領域は存在し、上述の方法によって見え難くすることができるが、筐体まで見え難くすることは提案されていない。【０００８】
本発明は、唯一の表示パネルを備え、額縁が視認され難い直視型の表示装置を提供することを目的とする。
【課題を解決するための手段】
【０００９】
本発明の直視型の表示装置は、表示領域と前記表示領域の外側に設けられた額縁領域とを有する表示パネルと、前記表示パネルの観察者側に配置された透光性カバーとを備え、前記透光性カバーは、前記表示パネルの前記額縁領域の一部と、前記額縁領域の前記一部に隣接する前記表示領域内の周辺表示領域の一部とを含む領域に重なる位置に配置されたレンズ部を有し、前記表示パネルの少なくとも側面に配置された筐体部を有する筐体をさらに備え、前記筐体部の観察者側には、前記周辺表示領域の前記一部から出射された光の一部および／または背面側から入射する光が出射される。【００１０】
ある実施形態において、前記筐体部は透光性であり、前記筐体部の外側端面は、前記透光性カバーの前記レンズ部の外側端部の外側にある。【００１１】
ある実施形態において、前記透光性カバーの前記レンズ部は、前記レンズ部の外側端部が、前記筐体部の外側端面の観察者側に存在するように配置されている。【００１２】
ある実施形態において、前記筐体と前記透光性カバーとは一体に形成されている。【００１３】
ある実施形態において、前記筐体と前記透光性カバーとは一体に形成されており、前記筐体部の観察者側表面と背面側表面との少なくとも一部はレンズ面である。【００１４】
ある実施形態において、前記筐体部は、前記筐体部の観察者側表面が、前記レンズ部の前記観察者側表面と境界を形成するように設けられており、前記境界は、前記額縁領域の前記一部の観察者側にあり、前記筐体部の観察者側表面はレンズ面である。【００１５】
ある実施形態において、前記表示領域のうち、前記周辺表示領域以外の領域の少なくとも一部に形成される画像は、前記周辺表示領域の前記一部に形成される画像と異なる種類のコンテンツの画像である。【００１６】
ある実施形態において、前記透光性カバーの前記レンズ部の観察者側表面と、観察者側と反対側の表面との少なくとも一方は曲面である。【００１７】
ある実施形態において、前記透光性カバーの前記レンズ部の観察者側表面と、観察者側と反対側の表面の少なくとも一方は円柱曲面である。【００１８】
ある実施形態において、前記透光性カバーの前記レンズ部の観察者側表面と、観察者側と反対側の表面の少なくとも一方の、前記表示パネルの表示面に垂直な平面との交線は、非球面関数によって規定される曲線である。【００１９】
ある実施形態において、前記レンズ部の観察者側表面と、観察者側と反対側の表面との少なくとも一方は、フレネルレンズ形状である。【００２０】
ある実施形態において、前記筐体部の観察者側表面は曲面であり、前記筐体部の前記観察者側表面は、外側端部から内側に向かって、前記表示パネルの前記表示面に平行な平面からの距離が減少する。【００２１】
ある実施形態において、前記筐体部の観察者側表面と背面側表面の少なくとも一方は、曲面である。【００２２】
ある実施形態において、前記筐体部の観察者側表面と背面側表面の少なくとも一方は、前記表示パネルの前記表示面に平行である。【００２３】
ある実施形態において、前記筐体部の観察者側表面はフレネルレンズ面である。【００２４】
ある実施形態において、前記透光性カバーおよび前記筐体部は、透明な粘着テープで固定されている。【００２５】
ある実施形態において、前記筐体は前記表示パネルの背面側に配置された底筐体部をさらに有し、前記筐体部と前記底筐体部とは、前記表示パネルの背面側で、固定されている。【００２６】
ある実施形態において、前記表示パネルは円形である。【００２７】
ある実施形態において、前記表示パネルは矩形である。【００２８】
本発明による携帯電話は、上記の構成を有する表示装置を有する。【００２９】
ある実施形態において、前記表示パネルの表示領域に、背景が表示される。【００３０】
ある実施形態において、前記透光性カバーは前記レンズ部以外の部分に、観察者側表面が前記表示パネルの表示面と略平行な平面で形成される平板部をさらに有し、前記レンズ部の前記観察者側表面と、前記平板部の前記観察者側表面と、前記筐体部の前記観察者側表面の少なくとも１つには、反射防止処理が施されている。【００３１】
ある実施形態において、前記レンズ部の前記観察者側表面と、前記平板部の前記観察者側表面と、前記筐体部の前記観察者側表面の少なくとも１つには、反射防止膜が貼り付けられている。【００３２】
ある実施形態において、前記反射防止処理は、ＬＲ処理である。【００３３】
ある実施形態において、前記反射防止膜は、モスアイ構造を有する。【００３４】
ある実施形態において、前記反射防止膜は、誘電体多層膜である。【００３５】
ある実施形態において、前記表示パネルの前記表示領域には第１および第２の方向に複数の画素が等間隔に配列されており、前記表示領域は、前記周辺表示領域と、前記周辺表示領域以外の領域の中央表示領域から構成され、前記周辺表示領域に配列された画素に供給される表示信号は、前記中央表示領域に配列された画素に供給される表示信号と比較して、前記第２の方向に圧縮されている。【００３６】
ある実施形態において、本発明による表示装置は、前記表示パネルに向けて光を出射するバックライト装置をさらに備え、前記周辺表示領域に配列された画素に向けて出射される光の強度は、前記中央表示領域に配列された画素に向けて出射される光の強度よりも高い。【００３７】
本発明によるデジタルフォトフレームは、前記表示パネルと、前記透光性カバーと、前記筐体部とを備える。
【発明の効果】
【００３８】
本発明によれば、唯一の表示パネルを備え、額縁が視認され難い直視型の表示装置が提供される。
【図面の簡単な説明】
【００３９】
【図１】本発明による実施形態の表示装置１００Ａの模式的な断面図である。
【図２】液晶表示装置１００Ａの端部付近を模式的に示す拡大断面図である。
【図３】観察者から見た液晶表示装置１００Ａを模式的に示す図である。
【図４】本発明による実施形態の表示装置１００Ｂの模式的な断面図である。
【図５】液晶表示装置１００Ｂの端部付近を模式的に示す拡大断面図である。
【図６】観察者から見た液晶表示装置１００Ｂを模式的に示す図である。
【図７】本発明による実施形態の表示装置１００Ｃの模式的な断面図である。
【図８】液晶表示装置１００Ｃの端部付近を模式的に示す拡大断面図である。
【図９】観察者から見た液晶表示装置１００Ｃを模式的に示す図である。
【図１０】液晶表示装置１００Ｄの端部付近を模式的に示す拡大断面図である。
【図１１】液晶表示装置１００Ｅの端部付近を模式的に示す拡大断面図である。
【図１２】液晶表示装置１００Ｆの端部付近を模式的に示す拡大断面図である。
【図１３】液晶表示装置１００Ｇの端部付近を模式的に示す拡大断面図である。
【図１４】本発明による実施形態の表示装置１００Ｈの模式的な断面図である。
【図１５】液晶表示装置１００Ｈの端部付近を模式的に示す拡大断面図である。
【図１６】観察者から見た液晶表示装置１００Ｈを模式的に示す図である。
【図１７】液晶表示装置１００Ｉの端部付近を模式的に示す拡大断面図である。
【図１８】液晶表示装置１００Ｊの端部付近を模式的に示す拡大断面図である。
【図１９】液晶表示装置１００Ｂ’の端部付近を模式的に示す拡大断面図である。
【図２０】液晶表示装置１００Ｃ’の端部付近を模式的に示す拡大断面図である。
【図２１】液晶表示装置１００Ｉ’の端部付近を模式的に示す拡大断面図である。
【図２２】液晶表示装置１００Ｄ’の端部付近を模式的に示す拡大断面図である。
【図２３】液晶表示装置１００Ｅ’の端部付近を模式的に示す拡大断面図である。
【図２４】液晶表示装置１００Ｃの端部付近を模式的に示す拡大断面図である。
【図２５】液晶表示装置１００Ｃの模式的な断面図である。
【図２６】（ａ）は、観察者から見た液晶表示装置２００Ａを模式的に示す図であり、（ｂ）は、（ａ）の２６Ｂ−２６Ｂ’線に沿った断面図であり、（ｃ）は、（ａ）の２６Ｃ−２６Ｃ’線に沿った断面図である。
【図２７】（ａ）は、観察者から見た液晶表示装置２００Ｂを模式的に示す図であり、（ｂ）は、（ａ）の２７Ｂ−２７Ｂ’線に沿った断面図であり、（ｃ）は、（ａ）の２７Ｃ−２７Ｃ’線に沿った断面図である。
【図２８】携帯電話３００Ａを模式的に示す図である。
【図２９】（ａ）および（ｂ）は、デジタルフォトフレーム３００Ｂを模式的に示す図である。
【図３０】（ａ）および（ｂ）は、液晶表示装置５００ａの構成を示す図であり、（ａ）は模式的な平面図であり、（ｂ）は（ａ）における線３０Ｂ−３０Ｂ’に沿った模式的な断面図である。
【図３１】液晶表示パネル５００の端部の模式的な上面図である。
【図３２】液晶表示装置５００ａの端部の模式的な断面図である。
【発明を実施するための形態】
【００４０】
以下、図面を参照して本発明による実施形態を説明するが、本発明は例示する実施形態に限定されるものではない。
【００４１】
図１に、本発明による実施形態の直視型の液晶表示装置１００Ａの模式的な断面図を示す。
【００４２】
図１に示すように、液晶表示装置１００Ａは、唯一の液晶表示パネル１０と、液晶表示パネル１０の観察者側に配置された透光性カバー２０と、筐体３０とを備える。
【００４３】
液晶表示パネル１０は、表示領域１０Ａと表示領域１０Ａの外側に設けられた額縁領域１０Ｆとを有する。液晶表示パネル１０は、公知の任意の透過型の液晶表示パネル１０であってよい。液晶表示パネル１０の下方にはバックライト装置４０が設けられている。なお、バックライト装置は、表示パネルとして有機ＥＬ表示パネル等の自発光型の表示パネルを用いるときは不要である。
【００４４】
透光性カバー２０は、レンズ部２２と平板部２４とを有している。透光性カバー２０のレンズ部２２は、液晶表示パネル１０の額縁領域１０Ｆと、額縁領域１０Ｆに隣接する表示領域１０Ａ内の周辺表示領域１０Ｄとを含む領域に重なる位置に配置されている。周辺表示領域１０Ｄから出射される光をレンズ部２２によって屈折させることによって、周辺表示領域１０Ｄに形成される画像を周辺表示領域１０Ｄおよび額縁領域１０Ｆから構成される領域に拡大する。液晶表示パネル１０には額縁領域１０Ｆが存在するが、液晶表示パネル１０の観察者側にレンズ部２２を有する透光性カバー２０を設けることによって、額縁領域１０Ｆを見え難くすることができる。
【００４５】
筐体３０は、液晶表示パネル１０を保護するために設けられている。本実施形態の表示装置は、筐体３０を備えていることにより、表示パネルが塵や水にさらされるのを防止することができる。また、表示パネルに直接衝撃が加わるのを防止することもできる。以下、筐体の一部を「筐体部」と称することとする。筐体３０は、横筐体部３６と底筐体部３８とを有する。横筐体部３６は透光性であり、液晶表示パネル１０の側面１０ｂに配置されている。底筐体部３８はバックライト装置４０の下方に配置されている。
【００４６】
横筐体部３６は、透光性であるので、横筐体部３６の観察者側には、横筐体部３６に背面側から入射する光の一部が出射される。従って、観察者には、横筐体部３６の背景が透けて見えるので、額縁が視認され難い表示装置が実現される。
【００４７】
以下、図２および図３を参照して、液晶表示装置１００Ａは額縁が視認され難いことをより詳細に説明する。
【００４８】
図２は、液晶表示装置１００Ａの端部付近を模式的に示す拡大断面図である。
【００４９】
液晶表示パネル１０は矩形であり、表示領域１０Ａには複数の画素が行および列を有するマトリクス状に配列されている。表示領域１０Ａは、額縁領域１０Ｆに隣接する周辺表示領域１０Ｄと、周辺表示領域１０Ｄ以外の領域の中央表示領域１０Ｂから構成されている。ここで、行方向を第１の方向Ｄ１（図２において紙面に垂直な方向。後述する図３に示す。）とし、列方向を第２の方向Ｄ２とする。
【００５０】
液晶表示パネル１０は、例えば、上基板１１および下基板１２を有し、上基板１１と下基板１２との間には液晶層１３が設けられている。下基板１２には、例えばＴＦＴや画素電極が設けられ、上基板１１には、例えばカラーフィルタ層や対向電極が設けられている。上基板１１の上方および下基板１２の下方には必要に応じて偏光板が配置される。液晶表示パネル１０の額縁領域１０Ｆには、シール部１６や駆動回路等が形成されている。バックライト装置４０は、例えば、ＬＥＤと、導光板と、拡散板やプリズムシート等の光学シートから構成される、エッジライト方式と呼ばれるバックライト装置である。
【００５１】
透光性カバー２０のレンズ部２２は、液晶表示パネル１０の額縁領域１０Ｆおよび周辺表示領域１０Ｄを含む領域に重なる位置に配置されており、レンズ部２２の観察者側表面（「出射面」ともいう）２２ａは曲面である。平板部２４は、中央表示領域１０Ｂに重なる位置に配置されており、平板部２４の出射面は液晶表示パネル１０の表示面１０ａに平行である。透光性カバー２０は矩形であり、レンズ部２２は、透光性カバー２０の４辺のうち第１の方向Ｄ１に延びる２辺に設けられている。
【００５２】
筐体３０の横筐体部３６は透光性であり、液晶表示パネル１０の４辺のうち第１の方向Ｄ１に延びる２辺の側面の外側に設けられている。横筐体部３６の観察者側表面３６ａおよび背面側表面３６ｃは液晶表示パネル１０の表示面１０ａに平行である。
【００５３】
図２に、表示領域１０Ａに配列された画素から出射され透光性カバー２０に入射する光線、および横筐体部３６の背面側から横筐体部３６に入射する光線を破線で示す。図２に示すように、周辺表示領域１０Ｄから出射された光は、レンズ部２２に入射し、外側（額縁領域１０Ｆの側）に屈折される。このとき、レンズ部２２に入射した光は、レンズ部２２の観察者側表面２２ａで屈折され、周辺表示領域１０Ｄおよび額縁領域１０Ｆの上に配置された、レンズ部２２の観察者側表面２２ａから出射される。レンズ部２２の観察者側表面２２ａから出射された光は、表示面１０ａに垂直な方向に直進する。従って、液晶表示パネル１０の周辺表示領域１０Ｄに形成される画像が、周辺表示領域１０Ｄおよび額縁領域１０Ｆから構成される領域に拡大されて表示されるので、額縁領域１０Ｆが見え難くなる。また、中央表示領域１０Ｂに配列された画素から出射された光は、平板部２４に入射し、表示面１０ａに垂直な方向に直進する。従って、平板部２４の観察者側には中央表示領域１０Ｂに形成される画像が表示される。横筐体部３６の背面側表面３６ｃから横筐体部３６に入射した光は、横筐体部３６内を背面側表面３６ｃに垂直な方向に直進し、観察者側表面３６ａから出射される。従って、観察者には横筐体部３６の背景が透けて見える。よって、額縁（額縁領域１０Ｆおよび横筐体部３６）が視認され難い表示装置が実現される。
【００５４】
レンズ部２２は第１の方向Ｄ１に延びる２辺の額縁領域上に設けられており、第１の方向Ｄ１に延びる２辺の額縁領域１０Ｆ上には画像の一部が表示される。また、横筐体部３６は液晶表示パネル１０の第１の方向Ｄ１に延びる２辺の外側に設けられており、観察者には液晶表示パネル１０の第１の方向Ｄ１に延びる２辺の外側に横筐体部３６の背景が透けて見える。従って、液晶表示装置１００Ａは、第１の方向Ｄ１に延びる２辺の額縁を見え難くすることができる。
【００５５】
図３に、観察者から見た液晶表示装置１００Ａを模式的に示す。図３には、画像が表示される領域１０１、額縁が視認される領域１０２、および背景が透けて見える領域１０３を示す。図３に示すように、第２の方向Ｄ２に延びる２辺の額縁は視認される（額縁が視認される領域１０２）。一方、第１の方向Ｄ１に延びる２辺の額縁には横筐体部３６の背景が透けて見える（背景が透けて見える領域１０３）。すなわち、液晶表示装置１００Ａは、第１の方向Ｄ１に延びる２辺の額縁を見え難くすることができる。
【００５６】
上記では、横筐体部の観察者側に背景が透けて見える実施形態を示したが、横筐体部の観察者側に、表示領域に形成される画像の一部を表示しても額縁を見え難くすることができる。横筐体部の観察者側に、表示領域から出射される光の一部を出射させると横筐体部の観察者側に画像の一部を表示することができる。例えば、上記の実施形態では、レンズ部により、周辺表示領域から出射された光が外側に屈折され、表示パネルの額縁領域上に画像の一部が表示されるが、周辺表示領域から出射される光をさらに外側に屈折させることにより、横筐体部の観察者側に周辺表示領域に形成された画像の一部を表示することができる。また、横筐体部の観察者側に、画像の一部が表示される領域と背景が透けて見える領域とが存在する構成としても、額縁を見え難くすることができる。横筐体部の観察者側に、表示領域から出射された光の一部および横筐体部の背面側から入射する光を出射させると横筐体部の観察者側に、背景が透けて見える領域と画像が表示される領域とを存在させることができる。横筐体部の観察者側に画像の一部が表示される表示装置の例、および横筐体部の観察者側に画像の一部が表示される領域と背景が透けて見える領域とが存在する表示装置の例は、後に詳述する。
【００５７】
筐体３０の底筐体部３８は、横筐体部３６と別部材としてもよいし、省略してもよく、いずれの場合も本発明の効果は損なわれない。また、底筐体部３８は表示に影響しないので、透光性でなくてもよい。また、横筐体部３６の観察者側表面３６ａおよび背面側表面３６ｃは表示面１０ａに平行な平面であるが、横筐体部の観察者側表面および背面側表面の形状はこれに限られない。他の例は後述する。
【００５８】
また、上記の実施形態では、表示パネルとして液晶表示パネルを用いた液晶表示装置を例示しているが、本発明による実施形態の表示装置に用いる表示パネルは、これに限られない。表示パネルとして、例えば、ＰＤＰ用表示パネル、有機ＥＬ表示パネル、電気泳動表示パネル等を用いることもできる。また、液晶表示パネルの形状が矩形である例を説明したが、他の形状の表示パネルについても適用できる。
【００５９】
また、上記の液晶表示装置１００Ａは、４辺のうち、第１の方向Ｄ１に延びる２辺の額縁を見え難くすることができるが、他の額縁を見え難くしてもよい。他の額縁が視認され難い表示装置の例は後述する。
【００６０】
ここで、レンズ部２２の観察者側表面２２ａの形状を説明する。レンズ部２２の観察者側表面２２ａは、周辺表示領域１０Ｄに配列された画素から出射された光を観察者側に屈折させるレンズ面である。例えば、レンズ部２２の観察者側表面２２ａは、液晶表示パネル１０の表示面１０ａに垂直な平面であって、且つ第１の方向Ｄ１と直交する平面との交線が円弧である。また、観察者側表面２２ａと、表示面１０ａに垂直な平面であって、且つ第１の方向Ｄ１と直交する平面との交線は、円弧ではない曲線であってもよい。特に、国際公開第２００９／１５７１５０号に記載の非球面関数によって規定される曲線であることが好ましい。参考のために、国際公開第２００９／１５７１５０号の開示内容の全てを本明細書に援用する。
【００６１】
例えば、周辺表示領域１０Ｄに形成する画像を、中央表示領域１０Ｂに形成する画像と比較して画像圧縮率ａだけ圧縮して形成し、レンズ部２２の観察者側表面２２ａ上に、周辺表示領域２０Ｄに形成される画像を１／ａ倍に拡大して表示するようなレンズ部２２の観察者側表面２２ａの形状は、以下のように求めることができる。
【００６２】
非球面関数ｆ（ｘ）として、以下の関数を用いる。
f(x)=h-cx2/(1+(1-(1+k)c2x2)1/2)+A4x4+A6x6+A8x8+A10x10
ここで、
ｃ：レンズ部２２の曲率（曲率半径の逆数）
ｈ：平板部２４の厚さ
ｋ：円錐定数（「コーニック定数」又は「ｃｏｎｉｃ  ｃｏｎｓｔａｎｔ」ともいう。）
である。ｘは、レンズ部２２の観察者側表面２２ａ上の各点の第２の方向Ｄ２における位置を示し、中央表示領域１０Ｂ側を零（０）とし、額縁領域１０Ｆ側ほど数値が大きくなる。
【００６３】
例えば、
周辺表示領域１０Ｄの幅Ｌ１：１２ｍｍ
額縁領域１０Ｆの幅Ｌ２：３ｍｍ
画像圧縮率ａ：０.８
平板部２４の厚さｈ：１３ｍｍ
曲率半径（レンズ部２２の曲率ｃの逆数、１／ｃ）：２３ｍｍ
レンズ部２２の屈折率ｎ：１．４９（アクリル樹脂）
とすると、
ｋ＝１．１５
Ａ4＝−７．８６×１０-7
Ａ6＝１．８９×１０-8
Ａ8＝−１．６２×１０-10
Ａ10＝４．９５×１０-13
となる。
【００６４】
また、ｋの値は、ａ＝０．４〜０．８９のとき、下記の式で与えられる。
k=89.918a4-194.57a3+159.82a2-57.099a+7.1865
【００６５】
なお、画像圧縮率が小さい（例えばａ＜０．７）と、１／ａの値が大きくなり、各画素は大きく拡大される。このため、画素と画素の間にあるブラックマトリクスが目立って見えてしまうことがあり、表示不良となる場合が多い。また画像圧縮率が大きい（例えばａ＞０．９）と、額縁領域の幅に対して大きいレンズ部が必要となるために、あまり好ましくない。例えば、画像圧縮率ａ＝０．９５のとき、ａ＝Ｌ１／（Ｌ１＋Ｌ２）＝０．９５であるから、レンズ部の幅（Ｌ１＋Ｌ２）は額縁領域の幅Ｌ２の２０倍となる。上記の例のように額縁領域の幅Ｌ２が３ｍｍであれば、レンズ部の幅Ｌ１＋Ｌ２が６０ｍｍとなる。例えば携帯電話用の表示装置等では、装置の幅が６０ｍｍ以下である場合が多く、レンズ部の幅Ｌ１＋Ｌ２が６０ｍｍのレンズ部材を配置できない。従って、画像圧縮率ａは０．７〜０．９程度が好ましい。上記の式から、画像圧縮率ａ＝０．７、０．９における円錐定数ｋは、それぞれｋ≒０．３８、２．４と算出されるので、円錐定数ｋの好ましい範囲は、０．３８以上２．４以下である。
【００６６】
上記ｋの値を用いて上記非球面関数ｆ（ｘ）を求め、ｆ（ｘ）で表される観察者側表面２２ａを有するレンズ部２２を作製すれば、周辺表示領域１０Ｄおよび額縁領域１０Ｆに、歪みが無い画像を表示することができる。
【００６７】
なお、レンズ部２２の表面形状は上述の曲面に限られず、例えば、フレネルレンズ形状としてもよい。
【００６８】
上述したように、唯一の表示パネルを備える表示装置は、額縁領域および額縁領域の外側に設けられた筐体の一部（横筐体部）が視認されるが、横筐体部の観察者側に周辺表示領域から出射された光の一部が出射されると横筐体部の観察者側に画像の一部が表示され、また、横筐体部の観察者側に背面側から入射する光が出射されると観察者に横筐体部の背景が透けて見えるので、横筐体部を視認され難くすることができる。従って、額縁を視認され難くすることができる。
【００６９】
本実施形態の液晶表示装置のように、透光性カバーと筐体とを別部材とした表示装置は、テレビやモニタ、デジタルフォトフレーム等、室内据置型の製品に好適に用いることができる。
【００７０】
次に、図４〜６を参照して、本発明の他の実施形態の液晶表示装置（図４に示す液晶表示装置１００Ｂ）を説明する。
【００７１】
図４に示す液晶表示装置１００Ｂは、液晶表示装置１００Ａ（図１）と比較して、横筐体部の観察者側に表示領域に形成される画像の一部を表示することによって、横筐体部を見え難くする点で異なる。また、液晶表示装置１００Ｂは、液晶表示装置１００Ａと比較して、レンズ部が周辺表示領域１０Ｄ、額縁領域１０Ｆおよび後述するパネル近辺部分５０Ｇから構成される領域に重なる位置に配置されている点で異なる。図４に示す液晶表示装置１００Ｂは、透光性カバーおよび筐体に代えて後述するレンズ一体型筐体５０を備えている。図４に示す液晶表示装置１００Ｂは、液晶表示パネル１０およびバックライト装置４０も備えているが、これらは液晶表示装置１００Ａの液晶表示パネル１０およびバックライト装置４０と同様である。以下、液晶表示装置１００Ｂを具体的に説明する。簡単のため、図４〜６において、図１〜３に示した液晶表示装置１００Ａと同じ構成要素には同じ参照符号を振り、説明を省略する。
【００７２】
図４は、液晶表示装置１００Ｂの模式的な断面図である。液晶表示装置１００Ｂは、唯一の液晶表示パネル１０と、バックライト装置４０と、レンズ一体型筐体５０とを備える。
【００７３】
図４に示すように、レンズ一体型筐体５０は、筐体と透光性カバーとが一体に形成されたものであり、横筐体部５６、底筐体部５８、レンズ部５２、および平板部５４を有する。横筐体部５６は、液晶表示パネル１０の側面１０ｂに配置され、底筐体部５８はバックライト装置４０の下方に配置されている。レンズ部５２は、液晶表示パネル１０の額縁領域１０Ｆ、周辺表示領域１０Ｄ、およびパネル近辺部分５０Ｇを含む領域に重なる位置に配置されている。パネル近辺部分５０Ｇとは、横筐体部５６のうち、観察者側にレンズ部５２が配置されている領域をいう。図４に示すように、レンズ部５２は、レンズ部５２の外側端部５２ｄが横筐体部５６の外側端面（「側面」ともいう。）５６ｂの観察者側に存在するように配置されている。従って、液晶表示装置１００Ｂにおいては、レンズ部５２が横筐体部５６の観察者側全体に配置されているので、パネル近辺部分５０Ｇは横筐体部５６が存在する領域と一致する。
【００７４】
液晶表示装置１００Ｂは、周辺表示領域１０Ｄから出射される光を、レンズ部５２によって屈折させることによって、周辺表示領域１０Ｄに形成される画像を、周辺表示領域１０Ｄ、額縁領域１０Ｆ、およびパネル近辺部分５０Ｇから構成される領域に拡大する。上記のようにレンズ部５２は横筐体部５６の観察者側全体を含む領域に配置されているので、レンズ部５２によって横筐体部５６の観察者側に画像の一部が表示される。従って、額縁領域１０Ｆおよび横筐体部５６の観察者側に画像の一部が表示されるので、額縁が視認され難い表示装置が実現される。
【００７５】
以下、図５および図６を参照して、液晶表示装置１００Ｂは額縁が視認され難いことをより詳細に説明する。図５は、液晶表示装置１００Ｂの端部付近を模式的に示す拡大断面図であり、図６は、観察者から見た液晶表示装置１００Ｂを模式的に示す図である。
【００７６】
図５に示すように、レンズ一体型筐体５０のレンズ部５２は、液晶表示パネル１０の周辺表示領域１０Ｄ、額縁領域１０Ｆおよびパネル近辺部分５０Ｇを含む領域に配置されており、レンズ部５２の観察者側表面５２ａは曲面である。平板部５４は、液晶表示パネル１０の中央表示領域１０Ｂに重なる位置に配置されており、平板部５４の観察者側表面は、表示面１０ａに平行である。横筐体部５６は、矩形の液晶表示パネル１０の４辺のうち第１の方向Ｄ１に延びる２辺の側面１０ｂの外側に設けられている。レンズ部５２は、第１の方向Ｄ１に延びる２辺の周辺表示領域１０Ｄ、額縁領域１０Ｆおよびパネル近辺部分５０Ｇを含む領域に重なる位置に設けられている。
【００７７】
図５に、表示領域１０Ａに配列された画素から出射されレンズ部５２および平板部５４に入射する光線を破線で示す。周辺表示領域１０Ｄから出射された光は、レンズ部５２に入射し、外側（額縁領域１０Ｆ側）に屈折される。このとき、レンズ部５２に入射した光は、レンズ部５２の観察者側表面５２ａで屈折され、周辺表示領域１０Ｄ、額縁領域１０Ｆ、およびパネル近辺部分５０Ｇの上に配置された、レンズ部５２の観察者側表面５２ａから出射される。レンズ部５２の観察者側表面５２ａから出射された光は、表示面１０ａに垂直な方向に直進する。従って、液晶表示パネル１０の周辺表示領域１０Ｄに形成される画像が、周辺表示領域１０Ｄ、額縁領域１０Ｆ、およびパネル近辺部分５０Ｇから構成される領域に拡大されて表示される。中央表示領域１０Ｂに配列された画素から出射された光は、平板部５４に入射して表示面１０ａに垂直な方向に直進する（図５）。従って、平板部５４の観察者側には中央表示領域１０Ｂに形成される画像が表示される。
【００７８】
図５に示すように、液晶表示装置１００Ｂでは、パネル近辺部分５０Ｇは、横筐体部５６が設けられている領域と一致するので、パネル近辺部分５０Ｇに画像の一部が表示されることは、横筐体部５６が見え難くなることを意味する。従って、液晶表示装置１００Ｂは、額縁（額縁領域１０Ｆおよび横筐体部５６）が視認され難い。
【００７９】
レンズ部５２は第１の方向Ｄ１に延びる２辺の周辺表示領域１０Ｄ、額縁領域１０Ｆおよびパネル近辺部分５０Ｇ上に設けられているので、第１の方向Ｄ１に延びる２辺の額縁領域１０Ｆおよびパネル近辺部分５０Ｇに画像の一部が表示される。従って、液晶表示装置１００Ｂは、第１の方向Ｄ１に延びる２辺の額縁を見え難くすることができる。
【００８０】
図６に示すように、観察者から液晶表示装置１００Ｂを見ると、第２の方向Ｄ２に延びる２辺の額縁は視認される（額縁が視認される領域１０２）。一方、第１の方向Ｄ１に延びる２辺の額縁は画像が表示される領域１０１に含まれる。従って、液晶表示装置１００Ｂは、第１の方向Ｄ１に延びる２辺の額縁が視認され難い。
【００８１】
液晶表示装置１００Ｂ（図４〜６参照）は、透光性カバーと筐体の代わりにレンズ一体型筐体５０を備えているので、埃や汚れの侵入が抑制されるという利点を有する。なお、液晶表示装置１００Ｂは、レンズ一体型筐体５０の代わりに透光性カバーおよび筐体を備えていても、透光性カバーのレンズ部を上記構成とすることにより、額縁を見え難くすることができる。すなわち、透光性カバーのレンズ部を、液晶表示パネルの額縁領域と横筐体部の観察者側全体とを含む領域に設けられる構成とすることにより、額縁領域と横筐体部の観察者側全体とを含む領域に画像の一部が表示されるので、額縁（額縁領域および横筐体部）を見え難くすることができる。
【００８２】
次に、図７〜９を参照して、本発明のさらに他の実施形態の液晶表示装置を説明する。
【００８３】
図７に示す液晶表示装置１００Ｃは、横筐体部の観察者側に、画像の一部を表示する領域と背景が透けて見える領域とが存在することによって額縁を見え難くする。以下、簡単のため、図１〜６と同様の構成要素には同じ参照符号を付し、説明を省略する。
【００８４】
図７は、液晶表示装置１００Ｃの模式的な断面図である。液晶表示装置１００Ｃは、唯一の液晶表示パネル１０と、バックライト装置４０と、レンズ一体型筐体５０とを備える。
【００８５】
レンズ一体型筐体５０は、透光性であり、横筐体部５６、底筐体部５８、レンズ部５２、および平板部５４を有する。横筐体部５６は、液晶表示パネル１０の側面１０ｂに配置されている。レンズ部５２は、液晶表示パネル１０の額縁領域１０Ｆ、周辺表示領域１０Ｄ、およびパネル近辺部分５０Ｇを含む領域に重なる位置に配置されている。周辺表示領域１０Ｄから出射される光は、レンズ部５２によって外側に屈折される。従って、周辺表示領域１０Ｄに形成される画像は、周辺表示領域１０Ｄ、額縁領域１０Ｆ、およびパネル近辺部分５０Ｇから構成される領域に拡大される。
【００８６】
図７に示すように、横筐体部５６の側面５６ｂは、レンズ部５２の外側端部５２ｄより外側にある。従って、横筐体部５６の観察者側には、パネル近辺部分５０Ｇ（横筐体部５６のうち、観察者側にレンズ部５２が配置されている領域）以外の部分に、レンズ部５２が配置されていない領域が存在する。以下では、横筐体部５６のうち、観察者側にレンズ部５２が配置されていない領域を「外側部分５０Ｈ」という。外側部分５０Ｈは透光性であり、外側部分５０Ｈの観察者側には、外側部分５０Ｈに背面側から入射する光の一部が出射される。従って、観察者には、外側部分５０Ｈに外側部分５０Ｈの背景が透けて見える。
【００８７】
横筐体部５６の観察者側には、画像の一部が表示される領域（パネル近辺部分５０Ｇ）および背景が透けて見える領域（外側部分５０Ｈ）が存在するので、横筐体部５６を視認され難くすることができる。従って、額縁（液晶表示パネル１０の額縁領域１０Ｆおよび横筐体部５６）が視認され難い表示装置が実現される。
【００８８】
以下、図８および図９を参照して、液晶表示装置１００Ｃの額縁が視認され難いことをより詳細に説明する。図８は、液晶表示装置１００Ｃの端部付近を模式的に示す拡大断面図であり、図９は、観察者から見た液晶表示装置１００Ｃを模式的に示す図である。
【００８９】
図８に示すように、周辺表示領域１０Ｄから出射された光は、レンズ部５２の観察者側表面５２ａで外側に屈折され、周辺表示領域１０Ｄ、額縁領域１０Ｆ、およびパネル近辺部分５０Ｇの上に配置されたレンズ部５２の観察者側表面５２ａから出射される。従って、周辺表示領域１０Ｄに形成される画像が、周辺表示領域１０Ｄ、額縁領域１０Ｆ、およびパネル近辺部分５０Ｇから構成される領域に拡大されて表示される。横筐体部５６の観察者側表面５６ａおよび背面側表面５６ｃは、表示面１０ａに平行である。横筐体部５６の外側部分５０Ｈに背面側から入射した光は、外側部分５０Ｈ内を表示面１０ａに垂直な方向に直進し、観察者側に出射される。従って、外側部分５０Ｈには外側部分５０Ｈの背景が透けて見える。
【００９０】
横筐体部５６のうち、パネル近辺部分５０Ｇには、周辺表示領域１０Ｄに形成される画像の一部が表示され、外側部分５０Ｈには背景が透けて見えるので、横筐体部５６を視認され難くすることができる。また、液晶表示パネル１０の額縁領域１０Ｆの観察者側には、周辺表示領域１０Ｄに形成される画像の一部が表示されるので、額縁領域１０Ｆを視認され難くすることができる。従って、液晶表示装置１００Ｃは、額縁（額縁領域１０Ｆおよび横筐体部５６）が視認され難い。レンズ部５２および横筐体部５６は液晶表示装置１００Ｃの第１の方向Ｄ１に延びる２辺に設けられており、液晶表示装置１００Ｃは、第１の方向Ｄ１に延びる２辺の額縁を見え難くすることができる。
【００９１】
図９に示すように、観察者から液晶表示装置１００Ｃを見ると、第２の方向Ｄ２に延びる２辺の額縁は視認される（額縁が視認される領域１０２）。一方、第１の方向Ｄ１に延びる２辺の額縁には背景が透けて見える（背景が透けて見える領域１０３）。従って、液晶表示装置１００Ｃは第１の方向Ｄ１に延びる２辺の額縁が視認され難い。
【００９２】
液晶表示装置１００Ｃは、上述したように横筐体部５６の観察者側に背景が透けて見える領域が存在する。従って、横筐体部の全体に画像を表示する表示装置（液晶表示装置１００Ｂ）に比べ、画像を表示する領域（すなわち、パネル近辺部分５０Ｇ）を狭くすることができる。従って、液晶表示装置１００Ｃは、液晶表示装置１００Ｂに比べ、レンズ部を小さくすることができる。液晶表示装置１００Ｂは、横筐体部の観察者側全体を含む領域にレンズ部が配置されるのに対し、液晶表示装置１００Ｃは、横筐体部のうちパネル近辺部分の観察者側のみにレンズ部が配置されるからである。
【００９３】
液晶表示装置１００Ｃの耐衝撃性を高くするために、横筐体部５６の幅（図７および８において、第２の方向Ｄ２の幅）を大きくしてもよい。液晶表示装置１００Ｃは、横筐体部５６の幅を大きくするとき、パネル近辺部分の大きさを変えなくてもよい。従って、レンズ部の大きさを変えずに耐衝撃性を高くすることができる。一方、液晶表示装置１００Ｂは、横筐体部の幅を大きくすると、パネル近辺部分が大きくなる。パネル近辺部分が大きくなるとレンズ部が大きくなるので、筐体５０の重量や材料費が増大してしまう。液晶表示装置１００Ｃは、液晶表示装置１００Ｂに対し、耐衝撃性が高く、薄型軽量化された表示装置が低コストで実現できるという利点を有する。
【００９４】
また、液晶表示装置１００Ｃは、横筐体部の一部に画像が表示される部分（パネル近辺部分）があるので、表示装置を斜め方向から見たとき、周辺表示領域のみに画像が表示される場合に比べ、表示パネルの側面が見え難いという利点を有する。なお、パネル近辺部分が大きいほど表示パネルの側面を見え難くすることができる。
【００９５】
液晶表示装置１００Ｃのレンズ一体型筐体５０の横筐体部５６は、観察者側表面５６ａおよび背面側表面５６ｃが表示面１０ａに平行であるが、横筐体部５６の形状はこれに限られない。例えば、横筐体部５６の観察者側表面５６ａおよび背面側表面５６ｃの少なくとも一方はレンズ面であってもよい。横筐体部５６の観察者側表面５６ａおよび背面側表面５６ｃの少なくとも一方がレンズ面である表示装置の例を図１０〜１３を参照して説明する。図１０〜１３は、横筐体部５６の観察者側表面５６ａおよび背面側表面５６ｃの少なくとも一方がレンズ面である表示装置の端部付近の模式的な拡大断面図である。
【００９６】
図１０は、横筐体部５６の観察者側表面５６ａが曲面である液晶表示装置１００Ｄの端部の模式的な拡大断面図である。液晶表示装置１００Ｄの横筐体部５６の観察者側表面５６ａは、表示装置の内側から外側に向かって（図１０において右から左に向かって、）背面側表面５６ｃとの距離が小さくなる曲面である。このとき、図１０に示すように、背面側表面５６ｃから入射した光は、外側に屈折されて観察者側表面５６ａから出射される。観察者側表面５６ａから観察者に向けて出射される光（表示面１０ａの法線方向に進む光）は、図１０に示すように、観察者側表面５６ａ上の出射位置より表示パネル側から横筐体部５６に入射した光である。従って、観察者には、横筐体部５６より表示パネル側の背景が透けて見える。
【００９７】
また、図１１に示す液晶表示装置１００Ｅのように、横筐体部５６の観察者側表面５６ａは、表示装置の内側から外側に向かって（図１１において右から左に向かって、）背面側表面５６ｃとの距離が大きくなる曲面であってもよい。このとき、図１１に示すように、背面側表面５６ｃから入射した光は、内側に屈折されて観察者側表面５６ａから出射される。観察者側表面５６ａから観察者に向けて出射される光は、図１１に示すように、観察者側表面５６ａ上の出射位置より外側から横筐体部５６に入射した光であるので、観察者には、横筐体部５６より外側の背景が透けて見える。液晶表示装置１００Ｅは、液晶表示装置１００Ｄ（図１０）に比べ、液晶表示パネル１０の側面１０ｂが見え難い。
【００９８】
図１２に示す液晶表示装置１００Ｆは、液晶表示装置１００Ｄ（図１０参照）の横筐体部５６の背面側表面５６ｃを曲面にしたものである。図１２に示すように、横筐体部５６に入射する光は、背面側表面５６ｃおよび観察者側表面５６ａで２回屈折する。横筐体部５６に入射する光は、背面側表面５６ｃで外側に屈折され、観察者側表面５６ａで内側に屈折される。観察者側表面５６ａと背面側表面５６ｃとで、屈折される方向が逆なので、図１２に示すように、表示パネルの表示面の法線方向から背面側表面５６ｃに入射した光は、２回屈折されて観察者側表面５６ａから観察者に向けて出射される。従って、観察者には、横筐体部５６の背景が透けて見える。液晶表示装置１００Ｄは、上記のように、横筐体部５６より表示パネル側の背景が透けて見えることがあるので、液晶表示装置１００Ｄの外部の背景と、横筐体部５６に透けて見える背景との間に違和感が生じることがある。液晶表示装置１００Ｆは、液晶表示装置１００Ｄに比べ、横筐体部５６の外側の背景と、横筐体部５６に透けて見える背景との間に違和感が生じることが抑制されるという利点を有する。
【００９９】
図１３に示す液晶表示装置１００Ｇは、液晶表示装置１００Ｅ（図１１）の横筐体部５６の背面側表面５６ｃを曲面にしたものであり、液晶表示装置１００Ｆ（図１２）と同様に、横筐体部５６に入射する光は、背面側表面５６ｃおよび観察者側表面５６ａで２回屈折する。液晶表示装置１００Ｇも、液晶表示装置１００Ｇの外部の背景と、横筐体部５６に透けて見える背景との間の違和感を抑制することができる。
【０１００】
次に、図１４〜１６を参照して、本発明のさらに他の実施形態の液晶表示装置を説明する。
【０１０１】
図１４に示す液晶表示装置１００Ｈは、横筐体部５６の観察者側表面５６ａが、レンズ部５２の観察者側表面５２ａと境界Ｂ１を形成するように設けられており、境界Ｂ１より内側には画像が表示され、境界Ｂ１より外側には背景が透けて見えることにより、額縁を見え難くする。
【０１０２】
図１４は、液晶表示装置１００Ｈの模式的な断面図である。液晶表示装置１００Ｈは、唯一の液晶表示パネル１０と、バックライト装置４０と、レンズ一体型筐体５０とを備える。
【０１０３】
レンズ一体型筐体５０の横筐体部５６は、横筐体部５６の観察者側表面５６ａが、レンズ部５２の観察者側表面５２ａと境界Ｂ１を形成するように設けられている。横筐体部５６は液晶表示パネル１０の側面１０ｂおよび額縁領域１０Ｆの一部に設けられている。図１４に示すように、境界Ｂ１は、額縁領域１０Ｆの観察者側にある。従って、横筐体部５６は額縁領域１０Ｆの境界Ｂ１より外側に存在する。
【０１０４】
横筐体部５６は透光性であり、横筐体部５６の観察者側表面５６ａはレンズ面である。横筐体部５６の背面側から横筐体部５６に入射する光は、内側に屈折されて観察者側に出射される。従って、観察者には、境界Ｂ１より外側に、横筐体部５６の背景が透けて見える。
【０１０５】
レンズ部５２は、周辺表示領域１０Ｄおよび額縁領域１０Ｆの境界Ｂ１より内側にある部分に配置されている。周辺表示領域１０Ｄから出射される光はレンズ部５２によって外側に屈折されるので、周辺表示領域１０Ｄに形成される画像は、周辺表示領域１０Ｄと、額縁領域１０Ｆのうち境界Ｂ１より内側にある部分とから構成される領域に拡大される。
【０１０６】
液晶表示装置１００Ｈは、境界Ｂ１より外側（すなわち、横筐体部５６が存在する部分）には背景が透けて見え、境界Ｂ１より内側には画像が表示される。従って、額縁が視認され難い表示装置が実現される。
【０１０７】
以下、図１５および図１６を参照して、液晶表示装置１００Ｈの額縁が視認され難いことをより詳細に説明する。図１５は、液晶表示装置１００Ｈの端部付近を模式的に示す拡大断面図であり、図１６は、観察者から見た液晶表示装置１００Ｈを模式的に示す図である。
【０１０８】
図１５に示すように、周辺表示領域１０Ｄから出射された光は、レンズ部５２の観察者側表面５２ａで外側に屈折され、レンズ部５２の観察者側表面５２ａから出射される。従って、周辺表示領域１０Ｄに形成される画像が、周辺表示領域１０Ｄおよび額縁領域１０Ｆの一部（境界Ｂ１より内側にある部分）から構成される領域に拡大されて表示される。横筐体部５６の背面側表面は表示面１０ａに平行な平面であり、横筐体部５６の観察者側表面５６ａは、境界Ｂ１から外側に向かって、背面側表面５６ｃからの距離が大きくなるレンズ面である。従って、背面側表面５６ｃから横筐体部５６に入射した光は、観察者側表面５６ａで内側に屈折され、横筐体部５６の観察者側（境界Ｂ１より外側にある部分）から出射される。横筐体部５６の観察者側表面５６ａから出射された光は、表示面１０ａに垂直な方向に直進する。従って、横筐体部５６の背景が境界Ｂ１より外側にある部分に透けて見える。
【０１０９】
額縁領域１０Ｆのうち境界Ｂ１より内側にある部分には画像の一部が表示され、境界Ｂ１より外側にある部分には、背景が透けて見えるので、額縁領域１０Ｆを視認され難くすることができる。また、横筐体部５６のうち液晶表示パネル１０の側面１０ｂより外側にある部分には背景が透けて見える。従って、液晶表示装置１００Ｈは、額縁（額縁領域１０Ｆおよび横筐体部５６）が視認され難い。液晶表示装置１００Ｈには、レンズ部５２および横筐体部５６が液晶表示装置１００Ｈの第１の方向Ｄ１に延びる２辺に設けられており、液晶表示装置１００Ｈは、第１の方向Ｄ１に延びる２辺の額縁を見え難くすることができる。
【０１１０】
図１６に示すように、観察者から液晶表示装置１００Ｈを見ると、第２の方向Ｄ２に延びる２辺の額縁は視認され（額縁が視認される領域１０２）、第１の方向Ｄ１に延びる２辺の額縁には背景が透けて見えるので（背景が透けて見える領域１０３）、液晶表示装置１００Ｈは第１の方向Ｄ１に延びる２辺の額縁が視認され難い。
【０１１１】
液晶表示装置１００Ｈは、額縁領域１０Ｆに背景が透けて見える領域が存在するので、額縁領域１０Ｆの全体に画像を表示する表示装置に比べ、画像を表示する領域を狭くすることができる。従って、レンズ部５２を小さくすることができるので、薄型化および軽量化を実現することができる。
【０１１２】
次に、レンズ部５２の観察者側表面５２ａの形状を説明する。以下では、上述した実施形態のレンズ一体型筐体５０のレンズ部５２を例に説明する。
【０１１３】
レンズ部５２の観察者側表面５２ａは、周辺表示領域１０Ｄに配列された画素から出射された光を屈折させるレンズ面である。例えば、レンズ部５２の観察者側表面５２ａは、観察者側表面５２ａの、液晶表示パネル１０の表示面１０ａに垂直な平面との交線が円弧である曲面であってよい。また、観察者側表面５２ａと、表示面１０ａに垂直な平面で且つ第１の方向Ｄ１と直交する平面との交線が円弧であってもよい。また、観察者側表面５２ａと、表示面１０ａに垂直な平面であって、且つ第１の方向Ｄ１と直交する平面との交線は、円弧ではない曲線であってもよい。特に、上述の国際公開第２００９／１５７１５０号に記載の非球面関数によって規定される曲線であることが好ましい。
【０１１４】
例えば、観察者側表面５２ａと、表示面１０ａに垂直な平面であって、且つ第１の方向Ｄ１と直交する平面との交線が上記非球面関数となるように、レンズ部５２を設計すれば、周辺表示領域１０Ｄに形成する画像を、中央表示領域１０Ｂに形成する画像と比較して、画像圧縮率ａだけ圧縮して形成し、レンズ部５２の観察者側表面５２ａ上に、周辺表示領域１０Ｄに形成される画像を１／ａ倍に拡大して表示することができる。すなわち、周辺表示領域１０Ｄ、額縁領域１０Ｆおよびパネル近辺部分５０Ｇから構成される領域に、歪みが無い画像を表示することができる。
【０１１５】
上述した実施形態のレンズ部５２は、いずれも、観察者側表面５２ａのみが曲面であるが、レンズ部５２は、観察者側表面５２ａおよび背面側表面が曲面であってもよい。図１７に、レンズ部の観察者側表面５２ａおよび背面側表面５２ｃが曲面である液晶表示装置１００Ｉを示す。図１７に示す液晶表示装置１００Ｉは、液晶表示装置１００Ｃ（図８参照）のレンズ部５２の観察者側表面５２ａおよび背面側表面５２ｃを曲面としたものである。図１７に示すように、レンズ部５２に入射する光は、２回屈折されて出射される。従って、片面のみが曲面である表示装置に比べ、短い光学距離で大きく光を屈折させることができる。よって、レンズ部５２の観察者側表面５２ａおよび背面側表面５２ｃの曲率半径を、片面のみが曲面である表示装置に比べ大きくしたとしても、同等の光学特性を発揮させることができる。従って、レンズ部５２を薄型化および軽量化することができる。
【０１１６】
レンズ部５２の両面が曲面であるとき、観察者側表面５２ａの、表示面１０ａに垂直な平面との交線と、背面側表面５２ｃの、表示面１０ａに垂直な平面との交線とは、例えばいずれも円弧であってもよく、また、上記２つの交線の少なくとも一方を、非球面関数によって規定される曲線としてもよい。また、観察者側表面５２ａおよび背面側表面５２ｃの少なくとも一方を他の自由曲面としてもよい（国際公開第２００９／１５７１６１号参照）。参考のために、国際公開第２００９／１５７１６１号の開示内容の全てを本明細書に援用する。
【０１１７】
また、図１８に示す液晶表示装置１００Ｊのように、レンズ部５２の背面側表面５２ｃのみを曲面とし観察者側表面５２ａを平坦面としてもよい。液晶表示装置１００Ｊは、観察者側表面５２ａに付着した埃や汚れを拭き取りやすいという利点を有する。
【０１１８】
また、レンズ面として曲面の例を示したが、曲面でなくてもよい。例えば、レンズ部５２の観察者側表面５２ａおよび背面側表面５２ｃの少なくとも一方をフレネルレンズ面としてもよい。図１９〜２１は、フレネルレンズ面を有する表示装置の端部の模式的な拡大断面図である。
【０１１９】
図１９に示す液晶表示装置１００Ｂ’は、液晶表示装置１００Ｂ（図５参照）のレンズ部５２の観察者側表面５２ａをフレネルレンズ面としたものである。また、図２０に示す液晶表示装置１００Ｃ’は、液晶表示装置１００Ｃ（図８参照）のレンズ部５２の観察者側表面５２ａをフレネルレンズ面としたものであり、図２１に示す液晶表示装置１００Ｉ’は、液晶表示装置１００Ｉ（図１７参照）のレンズ部５２の観察者側表面５２ａおよび背面側表面５２ｃをフレネルレンズ面としたものである。
【０１２０】
液晶表示装置１００Ｂ’（図１９）、１００Ｃ’（図２０）、および１００Ｉ’（図２１）は、レンズ部をフレネルレンズ面としたことにより、それぞれ、液晶表示装置１００Ｂ（図５）、１００Ｃ（図８）、および１００Ｉ（図１７）に比べ、薄型化および軽量化されるという利点を有する。また、レンズ部５２の観察者側表面５２ａをフレネルレンズ面とすることで、平面に近い形状に見えるので、曲面である場合に比べ、デザインの観点から好ましいという利点を有する（国際公開第２００９／０６６４３６号参照）。参考のために、国際公開第２００９／０６６４３６号の開示内容の全てを本明細書に援用する。
【０１２１】
なお、フレネルレンズ面の互いに隣接する溝の間隔が、表示領域１０Ａの互いに隣接する画素の間隔の大きさと異なると、モアレ縞の発生が抑制されるので好ましい。例えば、互いに隣接する画素の間隔が１００μｍである場合には、フレネルレンズ面の溝の間隔は、２０μｍ以下、または２００μｍ以上であると好ましい。
【０１２２】
また、横筐体部５６の観察者側表面５６ａおよび背面側表面５６ｃの少なくとも一方をレンズ面とする場合でも、これらをフレネルレンズ面としてもよい（図２２および２３）。図２２に示す液晶表示装置１００Ｄ’は、液晶表示装置１００Ｄ（図１０）の横筐体部５６の観察者側表面５６ａおよびレンズ部５２の観察者側表面５２ａをフレネルレンズ面としたものである。図２３に示す液晶表示装置１００Ｅ’は、液晶表示装置１００Ｅ（図１１）の横筐体部５６の観察者側表面５６ａおよびレンズ部５２の観察者側表面５２ａをフレネルレンズ面としたものである。液晶表示装置１００Ｄ’および液晶表示装置１００Ｅ’は、それぞれ、液晶表示装置１００Ｄおよび液晶表示装置１００Ｅに比べ、薄型化および軽量化することができる。
【０１２３】
フレネルレンズ面を有するレンズ一体型筐体５０は、例えば、切削法によりフレネルレンズ面が形成された面を有する金型を用いて射出成型によって作製することができる。
【０１２４】
上記の実施形態の液晶表示装置１００Ｂ〜１００Ｊは、横筐体部５６、底筐体部５８、レンズ部５２、および平板部５４が一体に形成されたレンズ一体型筐体５０を備えているが、それぞれ別の部材として形成し、組み合わせて用いてもよい。例えば、複数の部材で液晶表示パネル１０を挟み込んで、ネジや爪構造、粘着テープ等で固定してもよい。レンズ一体型筐体５０に代えて複数の部材を組み合わせて用いるときには、以下に説明するように、部材によって透明性が異なっていてもよい。図２４を参照して、横筐体部５６、底筐体部５８、レンズ部５２、および平板部５４の透明性について、液晶表示装置１００Ｃ（例えば図８参照）を例に説明する。液晶表示装置１００Ｃの画素から出射された光が透過する領域（５０Ａで示す。）は、透明性が高いことが好ましい。背面側から入射する光が透過する部分である横筐体部５６の外側部分（５０Ｂ）は、透明性が高いことが好ましい。横筐体部５６およびレンズ部５２のうち観察者に向けて出射される光が通過しない部分（５０Ｃ）や、バックライト装置４０の背面側の部分（５０Ｄ）は、透明でなくてもよい。
【０１２５】
なお、液晶表示装置１００Ｃを斜め方向あるいは側面方向から見た場合に液晶表示パネル１０の側面を見え難くするときは、例えば、液晶表示パネル１０およびバックライト装置４０の側面の外側に黒色のフィルム７０等を配置してもよい。フィルム７０は黒色でなくてもよい。また、フィルム等別部材を設けず、例えば、横筐体部５６の表示パネル側の側面に直接印刷してもよい。
【０１２６】
横筐体部５６、底筐体部５８、レンズ部５２および平板部５４は、材料として、例えばアクリルやポリカーボネイトを用いて、射出成型等により作製することができる。なお、上述した表示に影響しない部分は、加工が容易なＡＢＳ樹脂等を用いてもよい。
【０１２７】
複数の部材を組み合わせて用いる場合、レンズ部５２、平板部５４、および横筐体部５６を有する部材と、底筐体部５８とは、例えばネジ６０で固定してもよい（図２５）。また、爪状の構造を各部材に設けて固定してもよいし、透明な粘着テープで固定してもよい。透光性ではない部材を使用して固定する場合は、例えば横筐体部の背面側で固定すると、観察者に透けて見える背景に影響するので、図２５に示すように、液晶表示装置１００Ｃの背面側で固定するのが好ましい。なお、複数の部材を組み合わせる場合、成形やデザインの観点から、全ての部材を透明としてもよい。
【０１２８】
なお、上述の実施形態の液晶表示装置１００Ａの透光性カバー２０および筐体３０や、液晶表示装置１００Ｂ〜１００Ｊのレンズ一体型筐体５０も、例えばアクリルやポリカーボネイトを用いて、射出成形等により作製することができる。
【０１２９】
また、上述した実施形態の横筐体部５６の観察者側表面５６ａや背面側表面５６ｃは平面あるいはレンズ面である例を示したが、側面５６ｂと観察者側表面５６ａとが交わる角部は、デザインや取り扱いの都合上、曲面であってよい。
【０１３０】
上述した実施形態の液晶表示装置は、矩形の表示パネルを有し、表示装置の額縁の４辺のうち２辺を見え難くする例を示したが、例えば１辺のみを視認され難くしてもよいし、３辺もしくは４辺全てを視認され難くしてもよい。
【０１３１】
図２６（ａ）〜（ｃ）に、４辺の額縁が視認され難い液晶表示装置２００Ａを示す。図２６（ａ）は、液晶表示装置２００Ａの観察者から見た模式的な図であり、図２６（ｂ）および（ｃ）は、それぞれ、図２６（ａ）における２６Ｂ−２６Ｂ’線および２６Ｃ−２６Ｃ’線に沿った模式的な断面図である。２６Ｂ−２６Ｂ’線は第２の方向Ｄ２に平行であり、２６Ｃ−２６Ｃ’線は、第１の方向Ｄ１に平行である。従って、図２６（ｂ）は、液晶表示装置２００Ａの、第２の方向Ｄ２に切って得られる断面図であり、図２６（ｃ）は、液晶表示装置２００Ａの、第１の方向Ｄ１に切って得られる断面図である。
【０１３２】
図２６（ｂ）に示すように、液晶表示装置２００Ａは、レンズ一体型筐体５０を有する。第１の方向Ｄ１に延びる、レンズ一体型筐体５０の２辺には、横筐体部５６およびレンズ部５２が設けられている。レンズ部５２は、液晶表示パネル１０の周辺表示領域１０Ｄ、額縁領域１０Ｆ、および横筐体部のパネル近辺部分５０Ｇを含む領域に重なる位置に配置されている。従って、液晶表示装置１００Ｃ（図７）と同様の原理により、周辺表示領域１０Ｄに形成される画像が、周辺表示領域１０Ｄ、額縁領域１０Ｆおよびパネル近辺部分５０Ｇから構成される領域に拡大される。また、横筐体部５６の、観察者側にレンズ部５２が配置されていない領域（外側部分５０Ｈ）には、外側部分５０Ｈの背景が透けて見える。従って、液晶表示装置２００Ａは、第１の方向Ｄ１に延びる２辺の額縁（液晶表示パネル１０の額縁領域１０Ｆおよび横筐体部５６）が視認され難い。
【０１３３】
図２６（ｃ）に示すように、第２の方向Ｄ２に延びる、レンズ一体型筐体５０の２辺にも、第１の方向Ｄ１に延びる２辺と同様に、横筐体部５６およびレンズ部５２が設けられている。従って、液晶表示装置２００Ａは、第２の方向Ｄ２に延びる２辺の額縁（液晶表示パネル１０の額縁領域１０Ｆおよび横筐体部５６）が視認され難い。
【０１３４】
図２６（ａ）に、画像が表示される領域２０１、および背景が透けて見える領域２０３を示す。上記のように、液晶表示装置２００Ａのレンズ一体型筐体５０により、第１の方向Ｄ１に延びる２辺および第２の方向Ｄ２に延びる２辺の額縁領域１０Ｆおよびパネル近辺部分５０Ｇの観察者側には画像の一部が表示され、外側部分５０Ｈには背景が透けて見えるので、液晶表示装置２００Ａは、図２６（ａ）に示すように、４辺の額縁には、画像の一部が表示されるか、または背景が透けて見える。従って、液晶表示装置２００Ａは、４辺の額縁を視認され難くすることができる。
【０１３５】
図２６（ａ）に示す液晶表示装置２００Ａのように、４辺の額縁を見え難くするときは、隣接する２辺の角部を見え難くしてもよい。角部に設けるレンズ部の形状は、後述するように、例えば回転体の一部であることが好ましい（特願２００８−３２２９６４号参照）。参考のために、特願２００８−３２２９６４号の開示内容の全てを本明細書に援用する。なお、本明細書において、回転体とは、平面図形をそれと同平面に位置する直線の周りに３６０°回転することにより得られる立体図形をいうこととする。また、この直線を回転軸ということとする。
【０１３６】
表示パネルとして、例えば、円形の表示パネルや楕円形の表示パネルを備える表示装置にも本発明は適用できる。円形の表示パネルとしては、例えば、特許文献３に記載の公知の円形の表示パネルを用いることができる。
【０１３７】
図２７（ａ）〜（ｃ）に、円形の液晶表示パネル１０を備える液晶表示装置２００Ｂの模式的な図を示す。図２７（ａ）は、液晶表示装置２００Ｂの観察者から見た模式的な図であり、図２７（ｂ）および（ｃ）は、それぞれ、図２７（ａ）における２７Ｂ−２７Ｂ’線および２７Ｃ−２７Ｃ’線に沿った模式的な断面図である。２７Ｂ−２７Ｂ’線は第２の方向Ｄ２に平行であり、２７Ｃ−２７Ｃ’線は、第１の方向Ｄ１に平行である。従って、図２７（ｂ）は、液晶表示装置２００Ｂの、第２の方向Ｄ２に切って得られる断面図であり、図２７（ｃ）は、液晶表示装置２００Ｂの、第１の方向Ｄ１に切って得られる断面図である。
【０１３８】
液晶表示装置２００Ｂは、円形のレンズ一体型筐体５０を有する。レンズ一体型筐体５０には、横筐体部５６およびレンズ部５２が円周状に設けられている。図２７（ｂ）および（ｃ）からわかるように、レンズ部５２は、液晶表示パネル１０の周辺表示領域１０Ｄ、額縁領域１０Ｆ、および横筐体部５６のパネル近辺部分５０Ｇに重なる位置に配置されている。液晶表示装置２００Ｂの液晶表示パネル１０およびレンズ一体型筐体５０は、いずれも円形であるので、第１の方向Ｄ１および第２の方向Ｄ２以外の方向に切って得られる、液晶表示装置２００Ｂの断面は、いずれも、図２７（ｂ）および（ｃ）に模式的に示した構造と同様の構造である。従って、液晶表示装置１００Ｃ（図７）と同様の原理により、周辺表示領域１０Ｄに形成される画像が、周辺表示領域１０Ｄ、額縁領域１０Ｆおよびパネル近辺部分５０Ｇから構成される領域に拡大される。また、横筐体部５６の、観察者側にレンズ部５２が配置されていない領域（外側部分５０Ｈ）には、外側部分５０Ｈの背景が透けて見える。
【０１３９】
従って、図２７（ａ）に示す画像が表示される領域２０１および背景が透けて見える領域２０３のように、液晶表示装置２００Ｂの円周状の額縁（額縁領域１０Ｆおよび横筐体部５６）には、画像の一部が表示されるか、または背景が透けて見える。従って、円形の液晶表示装置２００Ｂは、円周状の額縁を視認され難くすることができる。
【０１４０】
上述の液晶表示装置２００Ａ（図２６）および液晶表示装置２００Ｂ（図２７）は、ＣＣＤ等で撮影した背景の映像を表示領域に表示することにより、あたかも表示装置が存在しないようにすることができる。このように観察者に対象が視認されないようにする技術は光学迷彩と呼ばれることがある。
【０１４１】
透光性カバー２０の観察者側表面や、横筐体部３６の観察者側表面、レンズ一体型筐体５０の観察者側表面には反射防止加工が施されることが好ましい。例えば蒸着や塗布工程によりレンズ一体型筐体５０と屈折率の異なる薄膜層を形成することによって、表面反射を低減することができる（ＬＲ処理とも呼ばれる。）。その他、誘電体多層膜で構成された反射防止膜（ＡＲ膜とも呼ばれる。）やモスアイ構造を有する反射防止膜を貼り付けてもよい。なお、表面がフレネルレンズ面である場合にも、例えば蒸着やディップコート法等の塗布工程によって反射防止処理を施すことができる。
【０１４２】
また、周辺表示領域１０Ｄに形成される画像は、レンズ部により、額縁領域１０Ｆおよび周辺表示領域１０Ｄから構成される領域に拡大されて表示されるので、周辺表示領域１０Ｄに形成される画像は、中央表示領域１０Ｂに形成される画像に比べ圧縮されていることが好ましい。画像を圧縮する方法としては、例えば、周辺表示領域１０Ｄに配列された画素に供給される表示信号を圧縮することで、周辺表示領域１０Ｄに圧縮された画像を形成する方法や、周辺表示領域１０Ｄ内の画素の間隔を変化させる方法がある（特願２００８−３２２９６４号参照）。
【０１４３】
周辺表示領域１０Ｄ内に形成される画像はレンズ部５２によって拡大されるので、その拡大率に応じて輝度が低下する。従って、レンズ部５２上に表示される画像と平板部５４上に表示される画像との間に輝度差が発生することがある。このような輝度差は、レンズ部５２に入射する光の輝度を平板部５４に入射する光の輝度よりも相対的に高めることにより改善できる。例えば、中央表示領域１０Ｂ内の画素の透過率を周辺表示領域１０Ｄ内の画素の透過率より低くすることや、周辺表示領域１０Ｄ内の画素から出射される光の輝度を中央表示領域１０Ｂ内の画素から出射される光の輝度よりも高くすることにより輝度差を改善することができる（特願２００８−３２２９６４号参照）。
【０１４４】
本発明は、携帯電話に適用してもよい。図２８に、本発明による実施形態の携帯電話３００Ａの模式的な図を示す。携帯電話３００Ａの、表示面の水平方向に直交する方向に延びる２辺には、例えば、外側端部が筐体の外側端面の観察者側に存在するようにレンズ部が配置されている。このとき、携帯電話３００Ａは、液晶表示装置１００Ｂ（図４）と同様の原理により、表示面の水平方向に直交する方向に延びる２辺の額縁（額縁領域と横筐体部とを含む領域）に画像が表示される。すなわち、携帯電話３００Ａは、表示面の水平方向に直交する方向に延びる２辺の額縁を視認され難くすることができる（図２８に示す画像が表示される領域３０１）。
【０１４５】
上述した実施形態の液晶表示装置を、デジタルフォトフレームとして用いてもよい。表示装置の端まで画像を表示することができるレンズ部５２（例えば、液晶表示装置１００Ｂのレンズ部５２）を４辺に設けると、全面に画像を表示するデジタルフォトフレームが実現される。
【０１４６】
デジタルフォトフレームとして用いるとき、レンズ部５２上には、フレームの画像を表示させてもよい。レンズ部５２上にフレームの画像を表示することで、フレームのデザインを自由に変更することができるという新しい構成のデジタルフォトフレームが実現される。
【０１４７】
図２９（ａ）および（ｂ）に、レンズ部５２上にフレームの画像を表示するデジタルフォトフレーム３００Ｂを示す。図２９（ａ）および（ｂ）に示すようにデジタルフォトフレーム３００Ｂのレンズ部上の領域３０４には、異なるフレームの画像が表示される。従来のデジタルフォトフレームのフレームは変更することはできないが、デジタルフォトフレーム３００Ｂでは、自由にフレームのデザインを変更することが可能であるという利点を有する。デジタルフォトフレーム３００Ｂは、例えば、中央に表示される画像に応じてフレームのデザインを変更するという楽しみ方が可能である。また、写真等の、中央に表示する画像（図２９（ａ）および（ｂ）に３０１で示す領域に表示される画像）は変えずにフレームの画像のみを変更して、中央の画像に合う好みのフレームを選択することができる。逆に、フレームの画像は変えずに中央に表示する画像のみを変更して使用することもできる。
【０１４８】
レンズ部５２上にフレームの画像を表示することは、例えば、周辺表示領域１０Ｄ内に配列された画素にフレームの画像用の表示信号を供給することで実現される。例えば、表示装置に表示する画像を、中央に表示する画像とフレームの画像の組合せとして、ソフトウェア上で処理することにより、従来の回路構成を変えることなく容易に実現可能である。または、周辺表示領域１０Ｄ内の画素に表示信号を供給する駆動回路を別途設け、中央表示領域１０Ｂ内の画素と別駆動とすることで、中央に表示する画像に関係無く、フレームを自由に変更するようにしてもよい。
【０１４９】
また、デジタルフォトフレーム３００Ｂは、フレームの幅を容易に変更することも可能である。例えば、周辺表示領域１０Ｄと、中央表示領域１０Ｂのうちの周辺表示領域１０Ｄに隣接する部分とを含む領域内に配列された画素にフレームの画像用の表示信号を供給することで、フレームの幅をレンズ部５２の幅より大きくすることができる。
【０１５０】
また、デジタルフォトフレーム３００Ｂが、例えばバックライト装置を備える場合には、バックライト装置から出射される光の強度を、周辺表示領域１０Ｄと中央表示領域１０Ｂとで変えることで、フレームの画像と中央に表示される画像との輝度を異ならせることもできる。
【０１５１】
なお、デジタルフォトフレーム３００Ｂのように、レンズ部上に表示される画像（周辺表示領域に形成される画像）を、平板部上に表示される画像（中央表示領域に形成される画像）と異なる種類のコンテンツの画像とすることは、例えば上述の携帯電話や液晶表示装置にも適用することができる。
【０１５２】
もちろんレンズ部５２上には、フレームの画像だけでなく、例えば、模様、キャラクター、または日時ほか簡単な情報のテキストを表示してもよい。
【０１５３】
また、フレームの画像を表示する領域（周辺表示領域１０Ｄ、またはその近辺を含む領域）と、中央の画像を表示する領域（中央表示領域１０Ｂ）とは、画素の解像度を変えてもよい。例えば、フレームの画像が単純な模様等である場合には、周辺表示領域１０Ｄの解像度を低くしてもよい。また、細かいテキスト表示をする場合には、周辺表示領域１０Ｄの解像度を高くしてもよい。
【０１５４】
液晶表示装置２００Ａ（図２６）のように、４辺の額縁を見え難くするときは、上述したように、隣接する２辺の角部を見え難くしてもよい。以下、図３０〜３２を参照して、隣接する２辺の角部を見え難くするときの、液晶表示パネルの角部の観察者側に配置されるレンズ部の構成を説明する。
【０１５５】
図３０（ａ）および（ｂ）は、液晶表示装置５００ａの構成を示す図であり、図３０（ａ）は模式的な平面図であり、図３０（ｂ）は図３０（ａ）における線３０Ｂ−３０Ｂ’に沿った模式的な断面図である。
【０１５６】
図３０（ａ）および（ｂ）に示すように、液晶表示装置５００ａは、液晶表示パネル５００と、液晶表示パネル５００の観察者側に配置された透光性カバー６００とを備える。液晶表示パネル５００は、複数の画素が行および列を有するマトリクス状に配列された表示領域５２０と、表示領域５２０の外側に設けられた額縁領域５３０とを有する。表示領域５２０は、額縁領域５３０に隣接する周辺表示領域５２５と、周辺表示領域５２５以外の領域の中央表示領域５２４から構成されている。透光性カバー６００は、平板部６５０とレンズ部６１０とを有している。
【０１５７】
液晶表示パネル５００の周辺表示領域５２５とは、表示領域５２０の内、その観察者側に透光性カバー６００のレンズ部６１０が配置される領域をいう。平板部６５０は中央表示領域５２４上に配置される。周辺表示領域５２５から出射される光をレンズ部６１０によって屈折させることによって、周辺表示領域５２５に形成される画像を周辺表示領域５２５および額縁領域５３０から構成される領域に拡大する。
【０１５８】
ここで、行方向を第１の方向Ｄ１とし、列方向を第２の方向Ｄ２とすると、表示領域５２０と額縁領域５３０との間には、第１の方向Ｄ１に延びる第１境界線Ｂ１、および第１境界線Ｂ１と交差し第２の方向Ｄ２に延びる第２境界線Ｂ２が存在する。周辺表示領域５２５と中央表示領域５２４との間には、第１の方向Ｄ１に延びる第３境界線Ｂ３と、第３境界線Ｂ３と交差し第２の方向Ｄ２に延びる第４境界線Ｂ４が存在する。
【０１５９】
周辺表示領域５２５は、第３境界線Ｂ３と第４境界線Ｂ４とが交差する点Ｃを通り第１境界線Ｂ１に直交する直線Ｌ１と、点Ｃを通り第２境界線Ｂ２に直交する直線Ｌ２と、第１境界線Ｂ１と、第２境界線Ｂ２とで囲まれた第１周辺表示部分５２１を有する。
【０１６０】
また、額縁領域５３０は、第１周辺表示部分５２１に第１境界線Ｂ１または第２境界線Ｂ２を介して隣接する第１額縁部分５３１を有している。第１額縁部分５３１は、第１境界線Ｂ１、第２境界線Ｂ２、直線Ｌ１および直線Ｌ２と液晶表示パネル５００の外縁によって規定される部分である。
【０１６１】
透光性カバー６００のレンズ部６１０は、図３０（ｂ）に示すように屈曲した表面を有している。図３０（ａ）においては、レンズ部６１０の表面（観察者側表面）が屈曲している様子を等高線で示している。なお、ここでは簡単のために等高線の間隔を一定にしているが、これに限られない。レンズ部６１０の観察者側表面の好ましい形状については後述する。
【０１６２】
上記のように、液晶表示装置５００ａが有する透光性カバー６００のレンズ部６１０は、周辺表示領域５２５から出射される光を屈折させることによって、周辺表示領域５２５に形成される画像を周辺表示領域５２５および額縁領域５３０から構成される領域に拡大する。レンズ部６１０のうち、液晶表示パネル５００の角部の観察者側に配置された部分（第１レンズ体と称する。）は、図３０（ａ）に示すように、第１周辺表示部分５２１内の画素５７１から出射された光を、点Ｃから画素５７１に向かう方向Ｘ１に屈折させる。同様に、第１周辺表示部分５２１内の各画素から出射された光は、点Ｃからそれぞれその画素に向かう方向に屈折される。液晶表示装置５００ａの表示面に垂直な方向から画像を観察すると、液晶表示パネル５００の第１周辺表示部分５２１に形成される画像が第１周辺表示部分５２１および第１額縁部分５３１から構成される領域に拡大されて表示されることになる。すなわち、第１周辺表示部分５２１および第１額縁部分５３１の上に配置された、レンズ部６１０の部分（第１レンズ体）は、第１周辺表示部分５２１から出射された光を、横方向Ｄ１でも縦方向Ｄ２でない方向（例えばＸ１）に屈折させることによって、第１額縁部分５３１を見え難くする。
【０１６３】
以下、図３１および図３２を参照して、より詳細に説明する。
【０１６４】
図３１は、液晶表示パネル５００の角部付近を拡大して模式的に示す上面図である。図３１に示すように、表示領域５２０と額縁領域５３０との間には、第１境界線Ｂ１と第２境界線Ｂ２が存在し、周辺表示領域５２５と中央表示領域５２４との間には、第３境界線Ｂ３と第４境界線Ｂ４が存在する。第１周辺表示部分５２１は、直線Ｌ１、直線Ｌ２、第１境界線Ｂ１および第２境界線Ｂ２で囲まれた部分である。第１額縁部分５３１は、額縁領域５３０内の、直線Ｌ１、直線Ｌ２、第１境界線Ｂ１、第２境界線Ｂ２および額縁領域５３０の外縁５３５に囲まれた部分である。
【０１６５】
次に、図３２を参照する。図３２は、液晶表示装置５００ａのＸ１―Ｙ１平面における断面図である。ここで、Ｙ１軸は、図３１に示した点Ｃを通り、液晶表示パネル５００の表示面１９に垂直な軸である。
【０１６６】
図３２に、表示領域５２０に配列された画素から出射された光線を破線で示す。図３２に示すように、第１周辺表示部分５２１内の画素から出射された光は、第１レンズ体６１１に入射し、Ｘ１方向に屈折される。このとき、第１レンズ体６１１に入射した光は、第１レンズ体６１１の観察者側表面（「出射面」ともいう。）で屈折され、第１レンズ体６１１の観察者側表面から出射される。第１レンズ体６１１の観察者側表面から出射された光は、表示面１９に垂直な方向に直進する。同様に、第１周辺表示部分５２１内の各画素から出射された光は、点Ｃからそれぞれの画素に向かう方向に屈折される。液晶表示パネル５００の第１周辺表示部分５２１に形成される画像が第１周辺表示部分５２１および第１額縁部分５３１から構成される領域に拡大されて表示されるので、液晶表示装置５００ａの表示面１９に垂直な方向から画像を観察すると、第１額縁部分５３１は見え難い。
【０１６７】
また、図３２では、中央表示領域５２４内の画素から出射された光線も図示している。中央表示領域５２４上に配置されている平板部６５０の出射面は、表示面１９に平行である。中央表示領域５２４から出射された光は、平板部６５０に入射し、平板部６５０内を表示面１９に垂直な方向に直進し、観察者側に出射される。
【０１６８】
なお、第１レンズ体６１１の観察者側表面とＸ１−Ｙ１平面との交線６１１ｃは、例えば、上述の国際公開第２００９／１５７１５０号に記載の非球面関数によって規定される曲線であることが好ましい。例えば、交線６１１ｃが、上記非球面関数によって規定される曲線となるように第１レンズ体６１１を設計すれば、第１周辺表示部分５２１に形成する画像を、中央表示領域５２４に形成する画像と比較して、画像圧縮率ａだけ圧縮して形成し、第１レンズ体６１１の観察者側表面上に、第１周辺表示部分５２１に形成される画像を１／ａ倍に拡大して表示することができる。すなわち、第１周辺表示部分５２１、および第１額縁部分５３１から構成される領域に、歪みが無い画像を表示することができる。
【０１６９】
次に、レンズ部６１０のうち、第１周辺表示部分５２１上および第１額縁部分５３１上に配置された部分（第１レンズ体６１１）の好ましい形状を説明する。第１レンズ体６１１は、回転体を、回転軸を含む２つの平面で切り取って得られる立体の一部分であることが好ましい。このとき、回転軸がＹ１軸に一致するようにこの回転体の一部分が配置されていることが好ましい。すなわち、回転軸が、点Ｃを通り、第３境界線Ｂ３と第４境界線Ｂ４とに垂直となるように配置されていることが好ましい。
【０１７０】
第１レンズ体６１１の形状を、例えば、図３２に示す交線６１１ｃと、Ｘ１と、Ｙ１とで囲まれる平面を、Ｙ１軸を回転軸として回転させて得られる回転体の一部とすると、Ｘ１−Ｙ１平面以外の、Ｙ１軸を通り表示面１９に垂直な平面と、第１レンズ体６１１の観察者側表面との交線は、交線６１１ｃと同様の曲線となる。このとき、第１周辺表示部分５２１内の画素５７１以外の画素についても、それぞれの画素から出射された光を、点Ｃからそれぞれの画素に向かう方向に屈折させることができるので、第１周辺表示部分５２１に形成される画像を第１周辺表示部分５２１および第１額縁部分５３１から構成される領域に拡大することができる。
【０１７１】
上述のように、液晶表示装置５００ａでは、第１額縁部分５３１を見え難くすることができる。従って、図２６に示した液晶表示装置２００Ａにおいて、レンズ一体型筐体５０のレンズ部５２の角部を、液晶表示装置５００ａの透光性カバー６００のレンズ部６１０の角部（第１レンズ体６１１）と同様の構成とすることにより、液晶表示装置２００Ａの液晶表示パネル１０の角部の額縁領域を見え難くすることができる。図２６を参照して説明したように、液晶表示装置２００Ａは、４辺全ての額縁を見え難くすることができるので、レンズ部５２の角部を第１レンズ体６１１と同様の構成とすることにより、角部を含む全ての額縁を見え難くすることができる。
【０１７２】
上述したように、本発明によると、唯一の表示パネルを備え、額縁が視認され難い直視型の表示装置を提供することができる。
【産業上の利用可能性】
【０１７３】
本発明は、情報表示用の表示装置に好適に用いられる。特に、デジタルフォトフレームに好適に用いられる。
【符号の説明】
【０１７４】
１０    液晶表示パネル
１０Ａ    表示領域
１０Ｂ    中央表示領域
１０Ｄ    周辺表示領域
１０Ｆ    額縁領域
１０ａ    表示パネルの表示面
１０ｂ    表示パネルの側面
１１    上基板
１２    下基板
１３    液晶層
１６    シール部
２０    透光性カバー
２２、５２    レンズ部
２２ａ、５２ａ    レンズ部の観察者側表面
２２ｃ、５２ｃ    レンズ部の背面側表面
２２ｄ、５２ｄ    レンズ部の外側端部
２４、５４    平板部
３０    筐体
３６、５６    横筐体部
３６ａ、５６ａ    横筐体部の観察者側表面
３６ｂ、５６ｂ    横筐体部の外側端面
３６ｃ、５６ｃ    横筐体部の背面側表面
４０    バックライト装置
５０    レンズ一体型筐体
５０Ｇ    パネル近辺部分
５０Ｈ    外側部分
３８、５８    底筐体部
６０    ネジ
１００Ａ    液晶表示装置
１０１    画像が表示される領域
１０２    額縁が視認される領域
１０３    背景が透けて見える領域
Ｂ１    境界
Ｄ１    第１の方向
Ｄ２    第２の方向
【図１】
2010089998.tif 000003
【図２】
2010089998.tif 000004
【図３】
2010089998.tif 000005
【図４】
2010089998.tif 000006
【図５】
2010089998.tif 000007
【図６】
2010089998.tif 000008
【図７】
2010089998.tif 000009
【図８】
2010089998.tif 000010
【図９】
2010089998.tif 000011
【図１０】
2010089998.tif 000012
【図１１】
2010089998.tif 000013
【図１２】
2010089998.tif 000014
【図１３】
2010089998.tif 000015
【図１４】
2010089998.tif 000016
【図１５】
2010089998.tif 000017
【図１６】
2010089998.tif 000018
【図１７】
2010089998.tif 000019
【図１８】
2010089998.tif 000020
【図１９】
2010089998.tif 000021
【図２０】
2010089998.tif 000022
【図２１】
2010089998.tif 000023
【図２２】
2010089998.tif 000024
【図２３】
2010089998.tif 000025
【図２４】
2010089998.tif 000026
【図２５】
2010089998.tif 000027
【図２６】
2010089998.tif 000028
【図２７】
2010089998.tif 000029
【図２８】
2010089998.tif 000030
【図２９】
2010089998.tif 000031
【図３０】
2010089998.tif 000032
【図３１】
2010089998.tif 000033
【図３２】
2010089998.tif 000034
【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
表示領域と前記表示領域の外側に設けられた額縁領域とを有する表示パネルと、
前記表示パネルの観察者側に配置された透光性カバーとを備え、
前記透光性カバーは、前記表示パネルの前記額縁領域の一部と、前記額縁領域の前記一部に隣接する前記表示領域内の周辺表示領域の一部とを含む領域に重なる位置に配置されたレンズ部を有し、
前記表示パネルの少なくとも側面に配置された筐体部を有する筐体をさらに備え、
前記筐体部の観察者側には、前記周辺表示領域の前記一部から出射された光の一部および／または背面側から入射する光の一部が出射されており、
前記筐体部は透光性であり、前記筐体部の外側端面は、前記透光性カバーの前記レンズ部の外側端部の外側にある、直視型の表示装置。
【請求項２】
前記筐体と前記透光性カバーとは一体に形成されている、請求項１に記載の表示装置。
【請求項３】
前記筐体と前記透光性カバーとは一体に形成されており、
前記筐体部の観察者側表面と背面側表面との少なくとも一部はレンズ面である、請求項１に記載の表示装置。
【請求項４】
前記筐体部は、前記筐体部の前記観察者側表面が、前記レンズ部の前記観察者側表面と境界を形成するように設けられており、
前記境界は、前記額縁領域の前記一部の観察者側にあり、
前記筐体部の前記観察者側表面はレンズ面である、請求項３に記載の表示装置。
【請求項５】
前記表示領域のうち、前記周辺表示領域以外の領域の少なくとも一部に形成される画像は、前記周辺表示領域の前記一部に形成される画像と異なる種類のコンテンツの画像である、請求項１から４のいずれかに記載の表示装置。
【国際調査報告】
2010089998.tif 000035
2010089998.tif 000036
2010089998.tif 000037
2010089998.tif 000038
2010089998.tif 000039
2010089998.tif 000040